(57)【要約】【課題】構成要素の特性が悪く、設置条件で特性が変化しても、精度のよい時間幅をもったＴＤＤ切替信号を出力できるＴＤＤ切替信号生成回路を提供する。【解決手段】第１のユニットであるＩＤＵ１０から送られてきたＴＤＤ切替信号は、第２のユニットであるＯＤＵ２０のＡＳＫ検波回路３１によって復調される。シフトレジスタ３２，３３と、ＮＯＴ回路３４と、ＮＡＮＤ回路３５との論理回路は、復調ＴＤＤ切替信号の立ち上がりの完了を検出する。カウンタ３６は、前記立ち上がりの完了を検出した時点から基準発振器３８のクロックをカウントする。カウント値比較器３７は、前記立ち上がり完了を検出した時点を一方の動作モードへの切り替え点とし、カウンタのカウントが予め与えられたカウント数に到達した時点を他方の動作モードへの切り替え点とする。【選択図】        図２
2004159217.tif 000002
【特許請求の範囲】
【請求項１】
第１のユニットと、第１のユニットに接続された第２のユニットとから構成され、第１のユニットは、第２のユニットを経由して、通信相手とＴＤＤ方式の送受信を行うために、動作モードを送信モードまたは受信モードに切り替えるに際し、第１のユニットは、変調したＴＤＤ切替信号を第２のユニットに送り、第２のユニットは、送られてきた変調ＴＤＤ切替信号を復調し、復調したＴＤＤ切替信号を用いて動作モードを切り替えるＴＤＤ切替信号生成回路において、
第２のユニットは、
前記復調ＴＤＤ切替信号の立ち上がり完了を検出する検出回路と、
前記立ち上がり完了を検出した時点から基準発振器のクロックをカウントするカウンタと、
前記検出回路が前記立ち上がり完了を検出した時点を一方の動作モードへの切り替え点とするとともに、カウンタのカウントが予め与えられたカウント数に到達した時点を次の動作モードへの切り替え点とするカウント値比較器とを有することを特徴とするＴＤＤ切替信号生成回路。
【請求項２】
請求項１に記載のＴＤＤ切替信号生成回路において、
前記第２のユニットの検出回路は、前記復調ＴＤＤ切替信号の立ち上がりをクロックに同期してラッチする第１のシフトレジスタと、第１のシフトレジスタの出力をクロックに同期してラッチする第２のシフトレジスタと、第２のシフトレジスタの出力と、第１のシフトレジスタの出力とに基づいてクロック立ち上がり完了を検出する論理回路とを有するＴＤＤ切替信号生成回路。
【請求項３】
第１のユニットと、第２のユニットとから構成され、第１のユニットは、第２のユニットを経由して、通信相手とＴＤＤ方式の送受信を行うために、動作モードを送信モードまたは受信モードに切り替えるに際して、第１のユニットは、変調したＴＤＤ切替信号を第２のユニットに送り、第２のユニットは、送られてきた変調ＴＤＤ切替信号を復調し、復調したＴＤＤ切替信号を用いて動作モードを切り替えるＴＤＤ切替信号生成方法において、
第２のユニットでは、前記復調ＴＤＤ切替信号の立ち上がり完了を検出し、その立ち上がり完了を検出した時点を一方の動作モードへの切り替え点とするとともに、その時点から基準発振器のクロックをカウントし、カウントが予め設定されたカウント数に到達した時点を他方の動作モードへの切り替え点とするＴＤＤ切替信号生成方法。
【発明の詳細な説明】
【０００１】
【発明の属する技術分野】
本発明はＴＤＤ（Ｔｉｍｅ  Ｄｉｖｉｓｉｏｎ  Ｄｕｐｌｅｘ：時分割多重化）方式の送受信装置に用いられるＴＤＤ切替信号生成方法および生成回路に関し、特に、送受信装置が第１のユニットと、第１のユニットから離れて第１のユニットに接続された第２のユニットとから構成され、第１のユニットは、第２のユニットを経由して、通信相手とＴＤＤ方式の送受信を行うために、動作モードを送信モードまたは受信モードに適切に切り替える際に、第１のユニットは、変調したＴＤＤ切替信号を第２のユニットに送り、第２のユニットは、送られてきた変調ＴＤＤ切替信号を復調し、復調したＴＤＤ切替信号を用いて動作モードを切り替えるＴＤＤ切替信号生成方法および生成回路に関する。
【０００２】
【従来の技術】
図６は、復信方式としてＴＤＤ（Ｔｉｍｅ  Ｄｉｖｉｓｉｏｎ  Ｄｕｐｌｅｘ）方式を用いる無線通信を行う送受信装置の従来例を示すブロック図である。図６に示される送受信装置は、屋内装置（ＩＤＵ＝Ｉｎ  Ｄｏｏｒ  Ｕｎｉｔ）１１０と、屋外装置（ＯＤＵ＝Ｏｕｔ  Ｄｏｏｒ  Ｕｎｉｔ）１２０と、これらを接続するケーブル１３０とから構成されている。ＩＤＵ１１０は、送信部１１１と、受信部１１２と、ＴＤＤスイッチ１１３とを有し、ＯＤＵ１２０は、ＴＤＤスイッチ１２１，１２４と、送信部１２２と、受信部１２３とを有する。この場合、ＩＤＵ１１０からは、送受信の切り替えの際に、ＯＤＵ１２０のＴＤＤスイッチ１２１，１２４に対してＴＤＤ切替信号を送信する必要がある。
【０００３】
上述のＴＤＤ切替信号によって切り替えを行う場合、送信時には、ケーブル１３０を介してＩＤＵ１１０から送られてくる送信信号がＴＤＤスイッチ１２１，１２４および送信部１２２を通過してアンテナ１２５から送信されるようにＴＤＤスイッチ１２１，１２４を切り替え、受信時には、アンテナ１２５からの受信信号がＴＤＤスイッチ１２１，１２４および受信部１２３を通過してＩＤＵ１１０にケーブル１３０を介して送信されるようにＴＤＤスイッチ１２１，１２４を切り替える。したがって、ケーブル１３０には、送受信信号、ＴＤＤ切替信号、ＩＤＵ１１０からＯＤＵ１２０へ、または、ＯＤＵ１２０からＩＤＵ１１０への制御信号、ＯＤＵ電源用の直流電流などが重畳されて流される。これらのうち、ＴＤＤ切替信号や制御信号は、広帯域な周波数成分をもつ矩形波であるために、そのまま送信すると、送受信信号への雑音源となってしまうことから帯域制限する必要がある。帯域制限の方法としては、簡単な回路で構成できるＡＳＫ変調が用いられることが多い。
【０００４】
上述したように、ＡＳＫ変調を用いた場合のＴＤＤ切替信号生成回路の回路構成について図７を参照して説明する。ＩＤＵ１１０のＡＳＫ変調信号発生回路１１５は、ＡＮＤ回路１１５ａと、コンデンサ１１５ｂと、バンドパスフィルタ（ＢＰＦ）１１５ｃとを備えている。ＡＮＤ回路１１５ａは、ＴＤＤ切替信号と、所定の周波数のキャリア信号との論理積をとり、コンデンサ１１５ｂは、ＡＮＤ回路１１５ａの出力から直流分を除去し、ＢＰＦ１１５ｃは、コンデンサ１１５ｂからの信号からキャリア周波数成分以外の成分を除去し、ケーブル１３０を介してＯＤＵ１２０に送信する。
【０００５】
ＩＤＵ１１０のＡＳＫ変調信号発生回路１１５からの信号を受けるＯＤＵ１２０のＡＳＫ検波回路１２６は、ＢＰＦ１２６ａと、Ｌｏｇ  ＡＭＰ１２６ｂと、コンパレータ１２６ｃとを備えている。ＢＰＦ１２６ａは、受信信号を濾波し、キャリア周波数成分以外の成分を除去し、Ｌｏｇ  ＡＭＰ１２６ｂは、ＢＰＦ１２６ａの出力の包絡線検波を行い、コンパレータ１２６ｃは、Ｌｏｇ  ＡＭＰ１２６ｂの出力レベルが閾値よりも低いときにはロウレベルの出力を、Ｌｏｇ  ＡＭＰ１２６ｂの出力レベルが閾値よりも高いときにはハイレベルの出力を出力する。このことにより、コンパレータ１２６ｃからは、図８に示されるようなパルス状のＴＤＤ切替信号が出力されることになる。
【０００６】
【発明が解決しようとする課題】
図８から分かるように、ＩＤＵ１１０からのＴＤＤ切替信号を増幅したＬｏｇＡＭＰ１２６ｂの出力波形は、立ち上がりおよび立ち下がりにおいて急峻ではないために、コンパレータ１２６ｃにおける閾値との比較による出力の立ち上がりと立ち下がりには、元の波形に対してずれＤＡ，ＤＢが生じ、結果的に、コンパレータ１２６ｃから出力されるＴＤＤ切替信号の時間幅は、元のＴＤＤ切替信号の時間幅とは同じでなくなる。この差が１シンボル以内ならば問題とならないが、閾値の値によっては数シンボルになり問題となってしまうことがある。そこで、ＩＤＵ１１０から送信されたＴＤＤ切替信号の時間幅と、コンパレータ１２６ｃによって復調されたＴＤＤ切替信号の時間幅とを等しくするように、ＬｏｇＡＭＰ１２６ｂの後のコンパレータ１２６ｃに与える閾値を調節する必要がある。しかし、閾値を調節した場合でもＩＤＵ１１０やＯＤＵ１２０の設置場所の変更などにより、両者間のケーブル１３０の長さが変化したりすると、Ｌｏｇ  ＡＭＰ１２６ｂの出力が変化し、再度、閾値を調整しなければならないといった問題が発生する。
【０００７】
本発明は、上記の問題を解決するためになされたものであって、Ｌｏｇ  ＡＭＰ１２６ｂに与出力波形の立ち上がりおよび立ち下がりが急峻ではなくても、設置条件によってＬｏｇ  ＡＭＰ１２６ｂの出力が変化しても、適切な時間幅をもったＴＤＤ切替信号を出力することができる送受信装置を提供することを目的とする。
【０００８】
【課題を解決するための手段】
前述した課題を解決するために、本発明は、第１のユニットと、第１のユニットに接続された第２のユニットとから構成され、第１のユニットは、第２のユニットを経由して、通信相手とＴＤＤ方式の送受信を行うために、動作モードを送信モードまたは受信モードに切り替えるに際し、第１のユニットは、変調したＴＤＤ切替信号を第２のユニットに送り、第２のユニットは、送られてきた変調ＴＤＤ切替信号を復調し、復調したＴＤＤ切替信号を用いて動作モードを切り替えるＴＤＤ切替信号生成回路において、第２のユニットは、前記復調ＴＤＤ切替信号の立ち上がり完了を検出する検出回路と、前記立ち上がり完了を検出した時点から基準発振器のクロックをカウントするカウンタと、前記検出回路が前記立ち上がり完了を検出した時点を一方の動作モードへの切り替え点とするとともに、カウンタのカウントが予め与えられたカウント数に到達した時点を次の動作モードへの切り替え点とするカウント値比較器とを有する。
【０００９】
また、本発明のＴＤＤ切替信号生成回路において、前記第２のユニットの検出回路は、前記復調ＴＤＤ切替信号の立ち上がりをクロックに同期してラッチする第１のシフトレジスタと、第１のシフトレジスタの出力をクロックに同期してラッチする第２のシフトレジスタと、第２のシフトレジスタの出力と、第１のシフトレジスタの出力とに基づいてクロック立ち上がり完了を検出する論理回路とを有する。
【００１０】
また、本発明は、第１のユニットと、第２のユニットとから構成され、第１のユニットは、第２のユニットを経由して、通信相手とＴＤＤ方式の送受信を行うために、動作モードを送信モードまたは受信モードに切り替えるに際して、第１のユニットは、変調したＴＤＤ切替信号を第２のユニットに送り、第２のユニットは、送られてきた変調ＴＤＤ切替信号を復調し、復調したＴＤＤ切替信号を用いて動作モードを切り替えるＴＤＤ切替信号生成方法において、第２のユニットでは、前記復調ＴＤＤ切替信号の立ち上がり完了を検出し、その立ち上がり完了を検出した時点を一方の動作モードへの切り替え点とするとともに、その時点から基準発振器のクロックをカウントし、カウントが予め設定されたカウント数に到達した時点を他方の動作モードへの切り替え点とするものである。
【００１１】
このような構成によれば、ＴＤＤ切替信号の時間幅は、一方の動作モードへの切り替え点から他方の動作モードへの切り替え点までであり、その幅は、クロックのカウント数で決定される。クロックは基準発振器などから供給され、精度が極めて高く安定しているので、ＴＤＤ切替信号の時間幅は、使用されている回路要素に変動等が発生しても、その影響を受けることがない。また、ＴＤＤ切替信号の時間幅を変更する場合も、予め決められたカウント数を変更するだけで実行できフレキシビリティが高い。
【００１２】
【発明の実施の形態】
以下、本発明の実施の形態について添付図面に基づいて説明する。図１は、本発明のＴＤＤ切替信号生成回路が用いられる送受信装置を示すブロック図、図２は、図１の送受信装置に配置された本発明のＴＤＤ切替信号生成回路の実施の形態を示すブロック図、図３は、図２のＴＤＤ切替信号生成回路の動作を説明するためのタイムチャート、図４は、図２のＴＤＤ切替信号生成回路において起こりうるＴＤＤ切替信号の時間幅の変動について説明するためのタイムチャート、図５は、図２のＴＤＤ切替信号生成回路の変形例を示すブロック図である。
【００１３】
図１に示される送受信装置は、屋内装置（ＩＤＵ＝Ｉｎ  Ｄｏｏｒ  Ｕｎｉｔ）１０と、屋外装置（ＯＤＵ＝Ｏｕｔ  Ｄｏｏｒ  Ｕｎｉｔ）２０と、これらを接続するケーブル３０とから構成され、復信方式としてＴＤＤ（Ｔｉｍｅ  Ｄｉｖｉｓｉｏｎ  Ｄｕｐｌｅｘ）方式を用いている。ＩＤＵ１０は、送信部１１と、受信部１２と、ＴＤＤスイッチ１３とを有し、ＯＤＵ２０は、ＴＤＤスイッチ２１，２４と、送信部２２と、受信部２３と、アンテナ２５とを有する。この場合、ＩＤＵ１０からは、送受信の切り替えの際に、ＯＤＵ２０のＴＤＤスイッチ２１，２４に対してＴＤＤ切替信号を送信する必要があり、このＴＤＤ切替信号を送信するためのＴＤＤ切替信号生成回路が図１からは分離して図２に示された回路である。
【００１４】
上述のＴＤＤ切替信号によって切り替えを行う場合、送信時には、ケーブル３０を介してＩＤＵ１０から送られてくる送信信号がＴＤＤスイッチ２１，２４および送信部２２を通過してアンテナ２５から送信されるようにＴＤＤスイッチ２１，２４を切り替え、受信時には、アンテナ２５からの受信信号がＴＤＤスイッチ２１，２４および受信部２３を通過してＩＤＵ１０にケーブル３０を介して送信されるようにＴＤＤスイッチ２１，２４を切り替える。したがって、ケーブル３０には、送受信信号、ＴＤＤ切替信号、ＩＤＵ１０からＯＤＵ２０へ、または、ＯＤＵ２０からＩＤＵ１０への制御信号、ＯＤＵ電源用の直流電流などが重畳されて流される。これらのうち、ＴＤＤ切替信号や制御信号は、広帯域な周波数成分をもつ矩形波であるために、そのまま送信すると、送受信信号への雑音源となってしまうことから帯域制限する必要がある。帯域制限の方法としては、簡単な回路で構成できるＡＳＫ変調が用いられることが多い。
【００１５】
上述したＴＤＤ切替信号生成回路のうち、ＡＳＫ変調を用いた場合のＴＤＤ切替信号生成回路の回路構成の例について図２を参照して説明する。ＩＤＵ１０に配置されたＡＳＫ変調信号発生回路１５は、ＡＮＤ回路１５ａと、コンデンサ１５ｂと、バンドパスフィルタ（ＢＰＦ）１５ｃとを備えている。ＡＮＤ回路１５ａは、ＴＤＤ切替信号と、所定の周波数のキャリア信号との論理積をとり、コンデンサ１５ｂは、ＡＮＤ回路１５ａの出力から直流分を除去し、ＢＰＦ１５ｃは、コンデンサ１５ｂからの信号からキャリア周波数成分以外の成分を除去し、ケーブル３０を介してＯＤＵ２０に送信する。したがって、このＩＤＵ１０は、従来のＩＤＵ１１０と実質的に構成が同じである。
【００１６】
ＯＤＵ２０に配置されたＴＤＤ切替信号生成回路は、ＡＳＫ検波回路３１と、シフトレジスタ３２，３３と、ＮＯＴ回路３４と、ＮＡＮＤ回路３５と、カウンタ３６と、カウント値比較器３７と、基準発振器３８とを有する。ＡＳＫ検波回路３１は、ＢＰＦ３１ａと、Ｌｏｇ  ＡＭＰ３１ｂと、コンパレータ３１ｃとを備えている。ＢＰＦ３１ａは、受信信号を濾波し、キャリア周波数成分以外の成分を除去し、Ｌｏｇ  ＡＭＰ３１ｂは、ＢＰＦ３１ａの出力の包絡線検波を行い、コンパレータ３１ｃは、Ｌｏｇ  ＡＭＰ３１ｂの出力レベルが閾値よりも低いときにはロウレベルの出力を、Ｌｏｇ  ＡＭＰ３１ｂの出力レベルが閾値よりも高いときにはハイレベルの出力を出力する。このことにより、コンパレータ３１ｃからは、従来例と同じように復調されたパルス状のＴＤＤ切替信号ＳＡが出力される。
【００１７】
シフトレジスタ３２は、ＡＳＫ検波回路３１が復調したＴＤＤ切替信号ＳＡを基準発振器３８からのクロックＣＬＫに同期してラッチし、ＴＤＤ切替信号ＳＢとして出力する。シフトレジスタ３３は、ＴＤＤ切替信号ＳＢを次のクロックＣＬＫに同期してラッチし、ＴＤＤ切替信号ＳＣとして出力する。ＮＯＴ回路は、ＴＤＤ切替信号ＳＣの論理を反転し、反転ＴＤＤ切替信号ＳＤとして出力する。ＮＡＮＤ回路３５は、ＴＤＤ切替信号ＳＢと反転ＴＤＤ切替信号ＳＤとのＮＡＮＤをとり、カウント開始信号ＳＥを出力する。カウンタ３６は、カウント開始信号ＳＦを入力するとカウント値をクリアした後、クロックＣＬＫをカウントする。カウント値比較部３７は、カウンタ３６がカウント値をクリアする（“０”をカウントする）とともに、出力をハイレベルにし、カウンタ３６がクロックＣＬＫをカウントするカウント値と、カウント判定値とを比較し、両者が一致したところで出力を再びロウレベルに切り替えることにより、最終的なＴＤＤ切替信号ＳＺとして出力する。
【００１８】
上述の例において、カウント値比較器３７が出力するＴＤＤ切替信号ＳＺがハイレベルである時間幅は、クロックＣＬＫの周波数が既知であるから、カウント判定値を適切に選択することにより、適切に設定できる。例えば、送信フレームのシンボル数を５００シンボルとし、シンボルレートが７Ｍシンボル／秒、ＯＤＵ２０の基準発振器３８の周波数が１０ＭＨｚであるとした場合のカウント判定値について考察してみよう。送信区間の時間は、５００シンボル÷７Ｍシンボル／秒であって、結果として７１．４３μ秒となる。この時間を１０ＭＨｚのクロックでカウントする場合には７１４．３カウント必要となる。そこで、四捨五入すると、７１５カウントとなる。但し、この例におけるカウント値比較器３７においては、カウンタ３６のカウント値が“０”のときから出力をハイレベルとしているので、カウント判定値は７１５から１減算した値に設定する必要がある。もちろん、カウンタ３６のカウント値が“１”になってから出力をハイレベルにし、カウント判定値は７１５に設定してもよい。
【００１９】
このカウント判定値の設定例からも明らかなように、あるべきＴＤＤ切替信号ＳＺの時間幅が基準発振器３８のクロックＣＬＫの時間幅で割り切れない場合があり、図４に示すクロックＣＬＫＡによるラッチよりもクロックＣＬＫＢによるラッチが遅延ＤＬをもたらすように、あるべき時間幅よりも最大で１クロック分だけ短くあるいは長くなってしまう。そこで、このような場合にも、ＴＤＤ切替信号ＳＺの時間幅をあるべき時間幅に近付けておくためには、カウンタ３６に供給されるクロックＣＬＫができるだけ高速であることが好ましい。このように、ＡＳＫ検波回路３１のＬｏｇ  ＡＭＰ３１ｂ等の出力波形の立ち上がりおよび立ち下がりが急峻ではないことや、設置条件によってＬｏｇ  ＡＭＰ３１ｂの出力が変化することがあっても、ＴＤＤ切替信号ＳＺの時間幅は、１クロックＣＬＫの時間幅の精度で決定され、従来に比較して高精度の時間幅をもったＴＤＤ切替信号ＳＺを出力することができ、ＴＤＤスイッチ１３，２１，２４の正確な切り替えが可能となる。
【００２０】
上述のＴＤＤ切替信号生成回路の第２の動作例について図４を参照して説明する。この例においては、シンボルレートが６Ｍシンボル／秒、基準発振器の周波数が２０ＭＨｚ、１フレームシンボル長が１３００シンボルでＴＤＤ比が１：１、すなわち、送信と受信との時間が等しいものとする。ＴＤＤ切替信号の送信（受信）区間の時間は、ＴＤＤ比が１：１なので６５０シンボルとなり、時間的には、６５０÷６Ｍシンボル＝１０８．３３μ秒となる。この区間１０８．３３μ秒をもったＴＤＤ切替信号をＡＳＫ変調し、ＯＤＵ２０に送信する。このＡＳＫ変調されたＴＤＤ切替信号を受信したＯＤＵ２０においては、ＡＳＫ検波回路が崩落検波を行い、ＴＤＤ切替信号を復調する。
【００２１】
復調されたＴＤＤ切替信号から、前例と同様に、カウント開始信号ＳＥを生成し、生成したカウント開始信号ＳＥでカウンタをクリアしてからクロックＣＬＫのカウントを行う。この場合、２０ＭＨｚのクロックＣＬＫで送信（受信）時間の１０８．３３μ秒をカウントするには、カウント判定値は２１６６に設定する必要がある。そのように設定されている場合、カウント値比較器がクロックＣＬＫのカウントを開始するまでは、出力をロウレベルとし、カウントを開始すると、カウントがカウント判定値２１６６になるまで出力をハイレベルとし、カウントがカウント判定値２１６６になると次のカウント値のクリアが行われるまで出力をロウレベルとする。このハイレベルまたはロウレベルへの切り替えによるＴＤＤ切替信号に従ってＴＤＤスイッチは送受信の切り替えを行う。
【００２２】
図２に示されたＯＤＵ２０におけるＴＤＤ切替信号生成回路の代わりに図５に示されるような回路構成によることも可能である。この場合、論理回路の接続方法を変更し、ＮＡＮＤ回路３５の代わりにＯＲ回路３９を採用している。また、上述の例においては、ＴＤＤ比が１：１の場合を説明したが、ＴＤＤ比が１：２や１：３とした場合は、その送信時間を満足するようなカウント判定値をカウント値比較器に設定することにより対応できる。このように、本発明に係わるＴＤＤ切替信号生成回路は、ＯＤＵ２０に配置した基準発振器３８からのクロックＣＬＫを予め設定されたカウント数だけカウントすることによりＴＤＤ切替信号を生成しているので、コンパレータ３１ｃの閾値の調整などが不要であり、ＩＤＵ１０とＯＤＵ２０との位置関係の変更などによる電気的な特性の変化による影響を受けることがない安定したＴＤＤ切替信号を供給できる。
【００２３】
【発明の効果】
本発明のＴＤＤ切替信号生成方法および生成回路は、以上において説明したように構成されているので、ＴＤＤ切替信号の時間幅は、一方の動作モードへの切り替え点から他方の動作モードへの切り替え点までであり、その幅は、クロックのカウント数で決定される。クロックは基準発振器などから供給され、精度が極めて高く安定しているので、ＴＤＤ切替信号の時間幅は、使用されている回路要素に変動等が発生しても、その影響を受けることがない。また、ＴＤＤ切替信号の時間幅を変更する場合も、予め決められたカウント数を変更するだけで実行できフレキシビリティが高い。
【図面の簡単な説明】
【図１】本発明のＴＤＤ切替信号生成回路が用いられる送受信装置を示すブロック図である。
【図２】図１の送受信装置に配置された本発明のＴＤＤ切替信号生成回路の実施の形態を示すブロック図である。
【図３】図２のＴＤＤ切替信号生成回路の動作を説明するためのタイムチャートである。
【図４】図２のＴＤＤ切替信号生成回路において起こりうるＴＤＤ切替信号の時間幅の変動について説明するためのタイムチャートである。
【図５】図２のＴＤＤ切替信号生成回路の変形例を示すブロック図である。
【図６】ＴＤＤ方式の送受信装置の従来例を示すブロック図である。
【図７】図６の送受信装置に配置されたＴＤＤ切替信号生成回路を示すブロック図である。
【図８】図７のＴＤＤ切替信号生成回路の動作を説明するためのタイムチャートである。
【符号の説明】
１０  ＩＤＵ（屋内装置）、１１，２２  送信部、１２，２３  受信部、１３，２１，２４  ＴＤＤスイッチ、１５  ＡＳＫ変調信号発生回路、１５ａ  ＡＮＤ回路、１５ｂ  コンデンサ、１５ｃ，３１ａ  ＢＰＦ、２０  ＯＤＵ（屋外装置）、２５  アンテナ、３０  ケーブル、３１  ＡＳＫ検波回路、３１ｂ  Ｌｏｇ  ＡＭＰ、３１ｃ  コンパレータ、３２，３３  シフトレジスタ、３４  ＮＯＴ回路、３５  ＮＡＮＤ回路、３６  カウンタ、３７  カウント値比較器、３８基準発振器、３９  ＯＲ回路。
【図１】
2004159217.tif 000003
【図２】
2004159217.tif 000004
【図３】
2004159217.tif 000005
【図４】
2004159217.tif 000006
【図５】
2004159217.tif 000007
【図６】
2004159217.tif 000008
【図７】
2004159217.tif 000009
【図８】
2004159217.tif 000010